(57)【特許請求の範囲】
【請求項１】
物質を毛、特に睫毛又は眉毛に塗布する器具であって、ベースにより相互に連結された第１の部分と第２の部分及びこれら部分相互間に設けられた、物質を塗布するための複数の要素を備えたアプリケータ部材を有し、
アプリケータ部材は、第１の部分と第２の部分との間に設けられた少なくとも１つの支持要素を有し、支持要素は、物質を塗布するための要素のうちの幾つか又は全てを有し、且つ、ベースにその長さの一部だけにわたって連結されているか又はベースに連結されることなく第１の部分と第２の部分に固定されている、ことを特徴とする器具。
【請求項２】
支持要素（14）は、アプリケータ部材の第１の部分（11）と第２の部分（12）との間に浮かし状態で設けられていることを特徴とする請求項１記載の器具。
【請求項３】
支持要素（14′）は、その橋渡し部（14′ｃ）を介してベース（15）に連結され、これら橋渡し部の間には１又は２以上の隙間（18）が生じていることを特徴とする請求項１又は２記載の器具。
【請求項４】
支持要素は、アプリケータ部材の支持要素以外の残りの部分に取り付けられた別個の部品によって構成されていることを特徴とする請求項１〜３のうち何れか一に記載の器具。
【請求項５】
支持要素は、特に射出成形法によりアプリケータ部材の支持要素以外の残りの部分と一体に成形されていることを特徴とする請求項１〜３のうち何れか一に記載の器具。
【請求項６】
支持要素は、アプリケータ部材の支持要素以外の残りの部分を構成するのに用いられる材料とは異なる材料で作られていることを特徴とする請求項１〜５のうち何れか一に記載の器具。
【請求項７】
支持要素は、エラストマーで作られていることを特徴とする請求項１〜６のうち何れか一に記載の器具。
【請求項８】
支持要素は、ギザギザ又はクギ状突起の設けられた縁部を備えた壁を有することを特徴とする請求項１〜７のうち何れか一に記載の器具。
【請求項９】
支持要素は形状が全体として平らであり又は折畳み状態にあることを特徴とする請求項１〜８のうち何れか一に記載の器具。
【請求項１０】
支持要素は、折り畳まれていると共にギザギザ又はクギ状突起が設けられた縁部を備えた壁を有していることを特徴とする請求項９記載の器具。
【請求項１１】
アプリケータ部材は、各々が物質を毛に塗布する要素を備えた複数の壁を構成するよう複数の支持要素（21,22 ）又は枝分かれ部（51）を備えた支持要素を有していることを特徴とする請求項１〜１０のうち何れか一に記載の器具。
【請求項１２】
アプリケータ部材は、物質を塗布する複数の縁部を有し、これら縁部は、毛、特に睫毛が塗布中に少なくとも２つの縁部と接触できるように配置されていることを特徴とする請求項１〜１１のうち何れか一に記載の器具。
【請求項１３】
アプリケータ部材は、２つの支持要素を有し、一方の支持要素は、ギザギザ付きの頂縁部（23）を備えた第１の壁（21）によって構成され、他方の支持要素は、第１の壁とベースとの間に位置した第２の壁（22）によって構成され、２つの壁は、平らであり又は折畳み状態にあり、しかも互いに異なる向きのものであって特に互いに実質的に垂直であり、第２の壁は好ましくは、ギザギザ又はクギ状突起が設けられている２つの互いに反対側に位置した縁部を有していることを特徴とする請求項１〜１２のうち何れか一に記載の器具。
【請求項１４】
物質を塗布する支持要素の縁部は実質的に、アプリケータ部材の第１の部分と第２の部分を、これらに当接した状態で相互につなぐ包絡面（Ｅ）の内側に納まっていることを特徴とする請求項１〜１３のうち何れか一に記載の器具。
【請求項１５】
アプリケータ部材の第１の部分及び第２の部分はそれぞれ、前側部分（11）及び後側部分（12）であることを特徴とする請求項１〜１４のうち何れか一に記載の器具。
【請求項１６】
前記前側及び後側部分は、アプリケータ部材をワイパー部材（7;7'）に通しやすくするような形状になっていることを特徴とする請求項１５記載の器具。
【請求項１７】
ジグザグに延びる支持要素（91;92;101 ）を有することを特徴とする請求項１〜１６のうち何れか一に記載の器具。
【請求項１８】
支持要素（91;92 ）は、平面に平行であることを特徴とする請求項１７記載の器具。
【請求項１９】
支持要素は、平面の各側で、特に、前記平面の各側に交互に位置した歯（102,103 ）を形成することにより延びていることを特徴とする請求項１７記載の器具。
【請求項２０】
支持要素は、アプリケータ部材を横断面で見て朝顔の形態をなすよう設けられた複数の壁を有し、各壁は、髪をくしけずることができる少なくとも１つの縁部を有していることを特徴とする請求項１〜１９のうち何れか一に記載の器具。
【請求項２１】
前記壁は、塗布中、毛が２つの隣り合う縁部に同時に接触することができるように配置されていることを特徴とする請求項２０記載の器具。
【請求項２２】
アプリケータ部材は、薄片（143 ）を支持したコア（142）を備えた支持要素を有し、前記薄片は、コアに対して横方向に差し向けられていることを特徴とする請求項１〜２１のうち何れか一に記載の器具。
【請求項２３】
前記薄片は、Ｖ字形の切欠き（151 ）を形成するようアプリケータ部材を横から見て互いにオーバーラップしていることを特徴とする請求項２２記載の器具。
【請求項２４】
前記薄片は、特にアプリケータ部材に瞼の外形と一致した輪郭を与えるようコアに沿う薄片の部分に応じて変化するサイズのものであることを特徴とする請求項２２又は２３記載の器具。
【請求項２５】
支持要素は、ベース上に斜めに延びる壁（75）を有していることを特徴とする請求項１〜２４のうち何れか一に記載の器具。
【請求項２６】
物質（Ｐ）の入った容器と、ワイパー部材（7;7'）と、一端にクロージャキャップを構成する取っ手部材を備え、他端に請求項１〜２５のうち何れか一に記載の塗布する器具を備えた軸を有するアプリケータとから成ることを特徴とする包装及び塗布用器具。
【請求項２７】
アプリケータ部材は、軸の構成材料よりも可撓性の高い材料で作られていることを特徴とする請求項２６記載の器具。
【請求項２８】
アプリケータ部材は、軸と一体に形成されていることを特徴とする請求項２６又は２７記載の器具。
【発明の詳細な説明】
【０００１】
【発明の属する技術分野】
本発明は、物質、特に化粧品又はヘアケア製品を睫毛又は眉毛、或いは角質繊維又は毛に塗布する器具であって、ベースにより相互に連結された第１の部分と第２の部分及びこれら部分相互間に設けられていて、物質を塗布する複数の要素を備えたアプリケータ部材を有する器具に関する。
【０００２】
【従来の技術及び発明が解決しようとする課題】
上記タイプの多くの器具が知られている。
【０００３】
一般に、ユーザが化粧中のアプリケータ部材の再充填をあまり頻繁に行う必要がないようにするために比較的多量の物質を拾い上げることができるアプリケータ部材が要望されている。
【０００４】
列状に並んだ歯を有する公知のアプリケータ部材では、歯相互間に保持される物質の量は、歯の間隔で決まる。かくして、睫毛を掴むことができるようにするために歯が互いに比較的密接したままでなければならないことを考慮すると、アプリケータ部材によって拾い上げることができる物質の量には制限がある。
【０００５】
また、使い勝手がよく、しかも特に塗布の際に或る程度の可撓性を備えたアプリケータ部材が要望されている。
【０００６】
本発明は、満足の行くやり方で毛を掴むことができると共に（或いは）物質を毛の表面上に広げることができ、他方、気持ち良く使え、しかも再充填相互間に十分な時間を置くことができる新規なアプリケータを提供することを目的とする。
【０００７】
【課題を解決するための手段】
本発明は、アプリケータ部材が第１の部分と第２の部分との間に設けられた少なくとも１つの支持要素を有し、支持要素がベースにその長さの一部だけにわたって連結されていて、物質を塗布する支持要素のうちの幾つか又は全てから成るという構成上の特徴により上記目的を達成する。
【０００８】
支持要素を、アプリケータ部材の第１の部分と第２の部分との間に浮かし状態で設けるのがよい。
【０００９】
支持要素をその橋渡し部を介してベースに連結するのがよく、これら橋渡し部の間には１又は２以上の隙間が生じる。
【００１０】
本発明により、支持要素をベースから或る距離を置いて設けることができ、それにより、物質を毛、特に睫毛に塗布するために保持できる少なくとも１つの隙間を生じさせることができる。
【００１１】
さらに、曲がり方が一定である場合、支持要素は、横方向の可撓性を増大させることができ、かくして、ユーザにとって物質の塗布が一層快適になる。
【００１２】
特定の実施形態では、支持要素は、別個の部品で構成され、変形例として、支持要素は、例えば射出成形法によりアプリケータ部材の残部と一体に成形される。
【００１３】
浮かし要素を、アプリケータ部材の残部を構成するのに用いられる材料とは異なる材料で作るのがよい。
【００１４】
具体的に説明すると、支持要素を加硫又は熱可塑性エラストマーで作るのがよく、他方アプリケータ部材の残部は剛性又は半剛性のプラスチック材料で作られる。
【００１５】
特定の実施形態では、支持要素は、物質を塗布する歯を形成するギザギザ付きの縁部を備えた壁を有している。
【００１６】
支持要素は、形状が全体として平ら又は折畳み状態であるのがよく、十分に多量の物質が、その主要面上に付着するようになることができる。
【００１７】
物質を支持要素の主要面上に付着させることにより、ギザギザ付きの縁部を用いて付着した物質を毛上に広げてこれらを伸ばしながら、毛を物質で被覆することができる。
【００１８】
支持要素が、折り畳まれると共にギザギザ又はクギ状突起の設けられた縁部を備える壁を有している場合、毛のくしけずり動作が促進される。
【００１９】
アプリケータ部材は、任意的に互いに異なる向きをなし、各々が物質を毛に塗布する要素を備えた複数の壁を構成するよう複数の支持要素又は枝分かれ部を備えた支持要素を有するのがよい。
【００２０】
かかる壁を用いることにより、物質をアプリケータ部材上に堆積させやすくなり、それにより数回分の物質を溜めることができるので再充填相互間におけるアプリケータ部材の利用時間が長くなる。
【００２１】
アプリケータ部材は、物質を塗布する複数の縁部を有し、これら縁部は、毛、特に睫毛が塗布中に少なくとも２つの縁部と接触できるように配置されるのが有利である。というのは、かかる状況下では、くしけずり及び（又は）なでつけ効果が高められ、さらに、アプリケータ部材が毛をしっかりと掴むことができるので適宜これらを曲げやすくするからである。
【００２２】
特定の実施形態では、アプリケータ部材は、２つの支持要素を有し、一方の支持要素は、ギザギザ付きの頂縁部を備えた第１の壁によって構成され、他方の支持要素は、第１の壁とベースとの間に位置した第２の壁によって構成され、２つの壁は、平らであり又は折畳み状態にあり、しかも互いに異なる向きのものであって、例えば互いに実質的に垂直であり、第２の壁は好ましくは、ギザギザ又はクギ状突起が設けられている２つの互いに反対側に位置した縁部を有する。
【００２３】
物質を塗布する支持要素の縁部は実質的に、アプリケータ部材の第１の部分と第２の部分を、これらに当接した状態で相互につなぐ包絡面の内側に納まっている。
【００２４】
特定の実施形態では、アプリケータ部材の第１の部分及び第２の部分はそれぞれ、前側部分及び後側部分である。これら前側及び後側部分は、アプリケータ部材をワイパー部材に通しやすくするような形状になっている。
【００２５】
特定の実施形態では、支持要素はジグザグに延び、かくして、髪を分けるのに用いることができる歯を形成し、また、これは毛を掴むために突き出たクギ状突起を更に有するのがよい。
【００２６】
ジグザグに延びる支持要素は、平面に平行であるのがよく、或いは、変形例として、平面の各側で、特に、平面の各側で歯を形成した状態で延びていてもよい。
【００２７】
さらに別の特定の実施形態では、支持要素は、アプリケータ部材を横断面で見て朝顔の形態をなすよう設けられた複数の壁を有し、各壁は、髪をくしけずることができる少なくとも１つの縁部を有する。
【００２８】
朝顔の形をなして設けられたこれらの壁は好ましくは、塗布中、毛が２つの隣り合う縁部に同時に接触することができるように配置される。
【００２９】
特定の実施形態では、アプリケータ部材は、薄片を支持したコアを備えた支持要素を有し、薄片は、コアに対して横方向に差し向けられる。
【００３０】
かかる薄片は形状が全体として平らであるのがよく、これら薄片は、コアの長手方向軸線に対して垂直であるのがよく、又はこれに対し鋭角をなしていてもよい。
【００３１】
薄片は、睫毛を掴んでこれを曲げることができるＶ字形の切欠きを形成するようアプリケータ部材を横から見て互いにオーバーラップするのがよい。
【００３２】
薄片は又、アプリケータ部材に例えば瞼の外形と一致した輪郭を与えるようコアに沿う薄片の部分に応じて変化するサイズのものであるのがよい。
【００３３】
特定の実施形態では、支持要素は、ベース上に斜めに延びる壁を有する。
【００３４】
アプリケータ部材は、互いに対し軸方向にずれた複数の列をなす歯又はクギ状突起を有するのがよい。
【００３５】
これら列状の歯又はクギ状突起を支持要素で支持するのがよい。
【００３６】
アプリケータ部材は、ベースと支持要素又は複数の支持要素のうちの一つとの間に隙間を更に有するのがよい。
【００３７】
また、本発明は、物質の入った容器と、ワイパー部材と、一端にクロージャキャップを構成する取っ手部材を備え、他端に上述のアプリケータ部材を備えた軸を有するアプリケータとから成る包装及び塗布用器具を提供する。
【００３８】
アプリケータ部材は、軸に対して角度をなすのがよい。
【００３９】
アプリケータ部材は、使い勝手が一層良くなるように軸の構成材料よりも可撓性が高い材料で作られるのがよく、このアプリケータ部材を例えばヒートシール法、接着剤又は軸を変形させることにより軸に固定するのがよい。
【００４０】
また、アプリケータ部材を軸と一体に形成してもよい。
【００４１】
本発明の他の特徴及び利点は、添付の図面を参照して非限定的な実施形態についての以下の詳細な説明を読むと明らかになろう。
【００４２】
【発明の実施の形態】
図１に示す包装及び塗布用器具１は、軸４を備えたアプリケータ２を有し、軸又はステム４は、一端にアプリケータ部材３を備え、他端に取っ手部材５を備えている。
【００４３】
器具１は、物質Ｐ、例えばマスカラを受け入れる容器又は受け具６を更に有し、この容器６は、アプリケータ部材３を容器から引き抜いている間にアプリケータ部材３を拭うワイパー部材７を備えている。
【００４４】
この場合、取っ手部材５は、容器６を閉鎖するキャップにもなっている。
【００４５】
図１に示す形態では、ワイパー部材７は、連続気泡フォームのブロックによって構成されている。
【００４６】
当然のことながら、本発明は、任意特定タイプのワイパー部材に限定されるわけではない。
【００４７】
かくして、ワイパー部材７に代えて、図２に示すようにエラストマー製のワイパーリップ又は舌部７′を用いてもよく、また、リップ７′にフロック加工を施すのがよいが、このようにするかどうかは任意である。
【００４８】
この場合、軸４は有利には、アプリケータが容器内の定位置にあるときにリップ７′の縁部と合致する位置を占める細い又は括れた領域を有し、これによりワイパーリップの圧縮が回避される。
【００４９】
今説明している実施形態では、アプリケータ部材３は、長手方向軸線Ｘに沿って全体として細長い形状をしていて、前側部分１１と後側部分１２を相互に連結するベース１５を有している。
【００５０】
軸線Ｘは、軸４の軸線と一致している。
【００５１】
変形例として、軸線Ｘは、人間工学的に一層優れたアプリケータを得るために軸の軸線と角度をなしていてもよい。
【００５２】
図３は、アプリケータ部材３の斜視図である。
【００５３】
前側部分１１及び後側部分１２は、ワイパー部材７を通過しやすいような形状になっている。
【００５４】
今説明している実施形態では、前側部分１１と後側部分１２を相互に連結する剛性又は半剛性のベース１５は、中心からずれて設けられており、前側部分１１及び後側部分１２は、ベース１５の上側だけから延びている。
【００５５】
前側部分１１及び後側部分１２は、実質的に平らであって互いに平行であり、しかも軸線Ｘに垂直な互いに向かい合った面１１ａ，１２ａをそれぞれ有している。
【００５６】
アプリケータ部材３は、前側部分１１から見て遠くに位置したその端部に、軸４の一端に形成されたハウジング又は収納部９内に挿入される端部品１３を有している。
【００５７】
アプリケータ部材３は、そのベース１５上で且つ前側部分１１と後側部分１２との間に浮かし要素を有し、この浮かし要素はこの例では、ベース１５から遠ざかる方向に向いたその側部にギザギザ付き縁部１６を備えた平らな壁１４によって構成されている。
【００５８】
ギザギザ付きの縁部１６から見て反対側の底縁部１７は、自由であり（非取付け状態にあり）、ベース１５に対して矩形の隙間１８を形成している。
【００５９】
今説明している実施形態では、壁１４の厚さは、ベース１５の厚さよりも相当小さく、したがって壁１４は、横方向、即ち、アプリケータ部材を使用中睫毛上で動かす方向において或る程度の可撓性を備えるようになっている。
【００６０】
今説明している実施形態では、壁１４は、その高さ全体にわたって面１１ａ，１２ａの各々に連結されている。
【００６１】
ギザギザ付きの縁部１６は、比較的多数の歯１９を形成しており、例えばその数は２０〜５０個の範囲にあり、歯１９相互間に形成された切欠きの底部は、縁部１７から０ではない距離のところに位置している。
【００６２】
したがって、物質は、壁１４の両面上に堆積することができる。
【００６３】
図４は、第１に、壁１４に代えてこれよりも短い壁１４′が用いられ、その軸方向端部１４′ａ，１４′ｂが前側部分１１及び後側部分１２に連結されておらず、第２に、壁１４′がその橋渡し部１４′ｃによってベース１５に連結されている点において、上述のアプリケータ部材３とは異なるアプリケータ部材３′を示している。
【００６４】
アプリケータ部材３′の壁１４′は、前側部分１１及び後側部分１２に固定されていないので、壁１４の場合よりも横方向に可撓性が高い。
【００６５】
図５及び図６は、本質的に前側部分１１及び後側部分１２の面１１ａ，１２ａに連結された２つの浮かし要素２１，２２、即ち、ギザギザ付き頂縁部２３を備えた平らな壁によって構成される第１の浮かし要素２１及び上記第１の平らな壁とベース１５との間に設けられていて、両方ともギザギザ付きの２つの反対側に位置した側縁部２４を備える第２の平らな壁又は浮かし要素２２を有している点において、上述のアプリケータ部材３と異なるアプリケータ部材２０を示している。
【００６６】
壁２１の平面は、アプリケータ部材２０の前側部分１１及び後側部分１２の平面と同様に図５では実質的に垂直であり、壁２２の平面は、壁２１の平面に垂直である。
【００６７】
ギザギザ付きの頂縁部２３は、前側部分１１と後側部分１２を、これらに当接した状態で互いに連結する包絡面Ｅの内側に実質的に納まっている。
【００６８】
同じことが、壁に１２のギザギザ付き縁部２４について言える。
【００６９】
図７は、面１１ａ，１２ａに連結されていて、ベース１５から遠ざかる方向に向いたギザギザ付き縁部３２を含む折畳み状態の壁３１によって構成される浮かし要素を有する点において、上述のアプリケータ部材３，２０と異なるアプリケータ部材３０を示している。
【００７０】
壁３１の折り目線３３は、ギザギザ付き縁部３２によって構成される歯３４相互間に形成された交互に並んだ突条と溝を構成している。
【００７１】
折り目が設けられていることにより、使用中における睫毛に対するくしけずり作用が促進される。
【００７２】
折り目は又、浮かし要素の面積を増大させ、かくして、これにより拾い上げることができる物質の量が多くなる。
【００７３】
図８は、上述の壁２１に類似した垂直の平らな壁、上述の壁２２に類似した水平な壁及び上述の下で３１に類似した折畳み状態の壁によってそれぞれ構成される３つの浮かし要素４１，４２，４３を有している点において、上述のアプリケータ部材とは異なるアプリケータ部材４０を示している。
【００７４】
図８は、非常に概略的であって、アプリケータ部材が、非常に様々な塗布目的に合わせて、組み合わせ可能な効果を発揮する要素を有することができるということを示すことを意図している。
【００７５】
図９及び図１０は、上述したようなベース１５と、中央壁５２及びその両側に位置した頂壁５３と底壁５４を備えた浮かし要素５１とを有するアプリケータ部材５０を示しており、この組立体の断面は、図１０で分かるように全体として朝顔の形をしている。
【００７６】
この実施形態では、浮かし要素５１は、これを構成する種々の壁相互間に比較的多量の物質を収容することができ、それにより、物質を睫毛に塗布しやすくなると共に再充填相互間におけるアプリケータの使用時間が長くなる。
【００７７】
睫毛につけられた物質を種々のギザギザ付き縁部を用いて睫毛に沿って広げることができる。
【００７８】
図１１及び図１２は、頂縁部６２にギザギザのついた壁６１により頂壁５３相互間で中央壁５２が延長されている点において、上述のアプリケータ部材５０とは異なるアプリケータ部材６０を示している。
【００７９】
物質は、壁６１，５３相互間、更に上述の実施形態の場合と同様に壁５３，５４相互間に堆積することができる。
【００８０】
睫毛Ｃは、壁６１，５３相互間に保持された物質に接触した際に物質をピックアップすることができ、この場合、過度の物質が睫毛に付着することはない。というのは、睫毛は、図１２に示すように壁６１，５３のギザギザ付き縁部の歯相互間を通るからである。
【００８１】
図１３及び図１４は、浮かし要素７１を有するアプリケータ部材７０を示しており、この浮かし要素は、面１１ａ，１２ａにそれぞれ連結された２つの軸方向端部７４ａ，７４ｂを備えるバー７４と、ギザギザ付き自由縁部７６を備えると共に軸方向自由端部７５ａ，７５ｂを有する壁７５とを有する。
【００８２】
アプリケータ部材７０は、壁７５とベース１５との間に、壁７５に平行な第２の壁７７を有している。
【００８３】
バー７４は、垂直壁７８の頂部に相当しており、この垂直壁は、事実上その長さ全体にわたって延びる中央隙間７９を備えている。
【００８４】
壁７８は、その軸方向端部を介して面１１ａ，１２ａに連結されると共にその底側部を介してベース１５に連結されている。
【００８５】
壁７７は、壁７８の足部に連結されている。
【００８６】
壁７５，７７は、壁７８に対して斜めに延び、これら壁７５，７７は、アプリケータ部材を断面で見た場合、図１４に示すように前側部分１１の外形と実質的に同一レベルに位置した自由縁部７６，７７ｂを有している。
【００８７】
図１〜図１４の実施形態では、支持体の前側部分と後側部分を相互に連結するベース１５は、中心からずれている。
【００８８】
図１５は、支持体８１を有するアプリケータ部材８０を示しており、支持体８１は、アプリケータ部材の実質的に中心上に位置したリンク部分又はベース８４によって相互に連結された前側部分８２と後側部分８３を有している。
【００８９】
前側部分８２及び後側部分８３は、それぞれ反対側に位置した互いに平行な面８２ａ，８３ａを有し、２つの浮かし要素８６，８７がこれら面の間に延び、浮かし要素は、リンク部分８４の周りで直径方向反対側に位置し、これらの外縁部に歯８８を備えている。
【００９０】
物質は、これを睫毛につける目的でリンク部分８４の周りに設けられた環状隙間８９内に堆積することができる。
【００９１】
図１６は、上述の支持体８１及び２つの浮かし要素９１，９２を有するアプリケータ部材９０を示している。
【００９２】
各浮かし要素９１，９２は、垂直平面内でジグザグに延び、物質を睫毛上に広げやすくする目的でこの垂直平面から突き出たクギ状突起９４を備えた壁を有している。
【００９３】
２つの浮かし要素９１，９２は、互いに間隔を置いた平面内に位置している。
【００９４】
図１７は、浮かし要素９１，９２に代えてジグザグに延びる浮かし要素１０１が用いられ、支持体の対称中間平面の両側に交互に位置した歯１０２，１０３が形成されている点において、上述のアプリケータ部材９０とは異なるアプリケータ部材１００を示している。
【００９５】
図１８は、壁１４の歯１９に代えて歯１１２が用いられ、これら歯がその起点となっている壁１１１の各側に交互に外方に湾曲している点において、図３を参照して説明したアプリケータ部材とは異なるアプリケータ部材１１０を示している。
【００９６】
図１９は、歯１９に代えてクギ状突起１２１が用いられている点において、図３を参照して説明したアプリケータ部材とは異なるアプリケータ部材１２０を示している。
【００９７】
図２０及び図２１は、３つの重ね合わされた浮かし要素、即ち、頂部浮かし要素１３１、中間浮かし要素１３２及び底部浮かし要素１３３を有するアプリケータ部材１３０を示しており、これら浮かし要素の各々は、ベース１５の対称中間平面Ｂの各側でそれぞれ延びる２つの列をなす側部の歯１３４，１３５を備えている。
【００９８】
図２０に示すように、アプリケータ部材を横から見た場合に共通浮かし要素によって支持された列状の歯１３４，１３５を重ね合わしてもよく、或いはアプリケータ部材を横から見て相互間にＶ字形の切欠きを構成するようこれら歯をずらしてもよく、かくしてこれら歯は、睫毛を効率的に掴むことができるようになっている。
【００９９】
今説明している実施形態における中間浮かし要素１３２及び底部浮かし要素１３３に設けられた歯は、頂部浮かし要素１３１に形成された歯よりもサイズが大きく、それにより、睫毛は塗布中複数の浮かし要素の歯に接触しやすくなっている。
【０１００】
図２２は、浮かし要素１４１を有するアプリケータ部材１４０を示しており、浮かし要素１４１は、軸方向端部が面１１ａ，１２ａに連結されたコア１４２を有し、このコア１４２は、複数の薄片１４３を支持し、薄片は各々、形状が全体として平らであり、コア１４２の長手方向軸線に垂直に差し向けられている。
【０１０１】
図２２に示す実施形態では、薄片１４３は互いに同一であって平行である。
【０１０２】
これら薄片は、睫毛がこれを掴むために睫毛に摩擦力を及ぼす向かい合ったこれら薄片の面に接触しながら、これら薄片相互間を通過することができるように互いに間隔を置いて位置している。
【０１０３】
薄片は種々の形をしていてもよく、また図２３に示すアプリケータ要素１５０によって示されるように、前側部分１１と後側部分１２との間の配設場所の関数としてサイズが様々であってよい。
【０１０４】
この図では、薄片は、アプリケータ部材を横から見てＶ字形の切欠き１５１を形成するようにコアの軸線に対して斜めに差し向けられている。
【０１０５】
薄片のサイズは、図２４に示すアプリケータ部材１６０によって示されるように、前側部分１１から後側部分１２に向かうに従って減少し、次に増大するのがよい。
【０１０６】
このアプリケータ部材１６０では、薄片１６１は、例えば瞼の外形に一致するようにアプリケータ部材の各側で外方に凹状の包絡面Ｅを定めている。
【０１０７】
当然のことながら、本発明は上述の実施形態には限定されない。
【０１０８】
具体的に説明すると、アプリケータ部材を、更に別の形をした塗布目的に用いられる１又は２以上の支持要素を備える状態で製造してもよい。
【０１０９】
図２５に示すように、支持要素をアプリケータの軸の軸線に対して横方向に差し向けてもよい。
【０１１０】
この図では、ベース１７１によって互いに連結された２つの側端部１７２，１７３を有するアプリケータ部材１７０が示されており、これはその側端部相互間にベース１７１に対して隙間１７５を生じさせる浮かし要素１７４を有している。
【０１１１】
支持要素にフロック加工を施すのがよい。
【０１１２】
浮かし要素を、毛の上を滑りやすくする充填剤を含むプラスチック材料で作るのがよい。
【０１１３】
上述の実施形態では、歯に代えてクギ状突起を用いてもよい。
【０１１４】
アプリケータ部材が２又は３以上の列をなす歯又はクギ状突起を有している場合、別の歯又はクギ状突起を、睫毛を一層良好に掴むように軸方向にずらしてもよく、例えば互い違いの形にしてもよい。
【図面の簡単な説明】
【図１】本発明の包装及び塗布用器具の軸方向断面図である。
【図２】ワイパー部材の別の形態を示す図である。
【図３】本発明の第１の実施形態としてのアプリケータ部材の斜視図である。
【図４】本発明の第２の実施形態としてのアプリケータ部材の斜視図である。
【図５】本発明の第３の実施形態としてのアプリケータ部材の斜視図である。
【図６】図５のアプリケータ部材の平面図である。
【図７】本発明の第４の実施形態としてのアプリケータ部材の斜視図である。
【図８】本発明の第５の実施形態としてのアプリケータ部材の斜視図である。
【図９】本発明の第６の実施形態としてのアプリケータ部材の斜視図である。
【図１０】図９のＸ−Ｘ線矢視断面図である。
【図１１】本発明の第７の実施形態としてのアプリケータ部材の斜視図である。
【図１２】図１１のＸＩＩ−ＸＩＩ線矢視断面図である。
【図１３】本発明の第８の実施形態としてのアプリケータ部材の斜視図である。
【図１４】図１３のＸＩＶ−ＸＩＶ線矢視断面図である。
【図１５】本発明の第９の実施形態としてのアプリケータ部材の斜視図である。
【図１６】本発明の第１０の実施形態としてのアプリケータ部材の斜視図である。
【図１７】本発明の第１１の実施形態としてのアプリケータ部材の斜視図である。
【図１８】本発明の第１２の実施形態としてのアプリケータ部材の斜視図である。
【図１９】本発明の第１３の実施形態としてのアプリケータ部材の斜視図である。
【図２０】本発明の第１４の実施形態としてのアプリケータ部材の斜視図である。
【図２１】図２０のＸＸＩ−ＸＸＩ矢視断面図である。
【図２２】本発明の第１５の実施形態としてのアプリケータ部材の斜視図である。
【図２３】本発明の第１６の実施形態としてのアプリケータ部材の斜視図である。
【図２４】本発明の第１７の実施形態としてのアプリケータ部材の斜視図である。
【図２５】本発明の第１８の実施形態としてのアプリケータ部材の斜視図である。
【符号の説明】
１  包装及び塗布用器具
２  アプリケータ
３  アプリケータ部材
４  軸又はステム
５  取っ手部材
６  容器又は受け具
７  ワイパー部材
１１  前側部分
１２  後側部分
１４  壁
１５  ベース
１６  ギザギザ付き縁部
１８  隙間
【図１】
0003657534.tif 000002
【図２】
0003657534.tif 000003
【図３】
0003657534.tif 000004
【図４】
0003657534.tif 000005
【図５】
0003657534.tif 000006
【図６】
0003657534.tif 000007
【図７】
0003657534.tif 000008
【図８】
0003657534.tif 000009
【図９】
0003657534.tif 000010
【図１０】
0003657534.tif 000011
【図１１】
0003657534.tif 000012
【図１２】
0003657534.tif 000013
【図１３】
0003657534.tif 000014
【図１４】
0003657534.tif 000015
【図１５】
0003657534.tif 000016
【図１６】
0003657534.tif 000017
【図１７】
0003657534.tif 000018
【図１８】
0003657534.tif 000019
【図１９】
0003657534.tif 000020
【図２０】
0003657534.tif 000021
【図２１】
0003657534.tif 000022
【図２２】
0003657534.tif 000023
【図２３】
0003657534.tif 000024
【図２４】
0003657534.tif 000025
【図２５】
0003657534.tif 000026